(57)【要約】  【課題】  室外機電装部に搭載されたインバ−タの制御部品など発熱量の高い電装部品を電装箱内に収納した場合、充分な放熱効果を得ることができない。また放熱効率を向上させるために放熱用の穴を開けると電装箱内への水の浸入に対し問題が生じる。  【解決手段】  電装箱内に蓄熱された熱を効率よく送風室側に放出させるための放熱穴を有した放熱ダクトを設け、前記放熱穴開口部に水の浸入防止用の略Ｚ形状の板を設け、放熱穴開口部から電装箱への水の浸入防止を図る。【選択図】  図１
2005069653.tif 000002
【特許請求の範囲】
【請求項１】
内部を仕切板にて送風室と機械室に分け、前記送風室にはファン及びファンモ−タを配し、前記機械室には圧縮機、冷媒配管等の冷凍サイクル部品を収納し、さらに前記機械室の上方に電装箱を配した空気調和機の室外機において、前記電装箱は電装部品から発熱された熱を放熱させるため略Ｚ形の突起を有した放熱板取付け板に固定された放熱板と電装箱内に蓄熱された熱を効率よく送風室側に放出させるための放熱穴を有した放熱ダクトより構成され、前記放熱穴開口部に水の浸入防止用の略Ｚ型の板を設けたことを特徴とする空気調和機室外機の放熱板固定装置。
【請求項２】
放熱ダクトに設けられた放熱穴をの開口部に重なるように前記放熱板を配置したことを特徴とする、請求項１の空気調和機室外機の放熱板固定装置。
【請求項３】
放熱ダクト内に温度の高い電装部品と、前記放熱ダクトに放熱板を密着させて固着させたことを特徴とする請求項１記載の空気調和機室外機の放熱板固定装置。
【請求項４】
放熱ダクトに設けられた放熱穴に前記放熱板に設けられた複数個の溝部が放熱穴と垂直になるよう配置し、前記放熱板で放熱穴開口部に覆い被さるように前記放熱板を配置したことを特徴とする、請求項１の空気調和機室外機の放熱板固定装置。
【発明の詳細な説明】
【技術分野】
【０００１】
本発明は、空気調和機の室外機に使用される電装箱内に配置される放熱板の固定装置に関するものである。
【背景技術】
【０００２】
従来、空気調和機室外機の放熱板の取付けは、図８から図１０に示すように室外機1の本体内を仕切板５で圧縮機８、冷媒配管（図示せず）等を収納している機械室１０と熱交換器３、ファン６、ファンモ−タ（図示せず）等で構成される送風室７に分離されている。前記機械室１０の上方には、室外機１の運転を制御するため電装部品１２を収納する電装箱１１を有している。電装箱１１は、前記送風室７側突出するように配置され、電装部品１２から発熱された熱を送風室７側に放熱させるために放熱板１５を配している（例えば、特許文献１参照）。
【特許文献１】特開平１−７９５３９号公報
【発明の開示】
【発明が解決しようとする課題】
【０００３】
しかしながら、上記従来の構成では、インバ−タの制御部品など発熱量の高い電装部品を電装箱内に収納した場合、充分な放熱効果を得ることができず電装部品の寿命が低下したり、部品の故障などを引き起こす恐れがある。また放熱効果を高めるため電装箱に放熱穴を設けた場合送風室側の吹出口や熱交換器を通過した雨水などが電装箱内に浸入し、電装部品の故障や、漏電などの危険を招く恐れが生じという課題を有していた。
【０００４】
本発明はこのような従来の課題を解決するものであり、電装箱内に収納された電装部品から発熱した熱を効率的に放熱させ、また電装箱内に雨水などの浸入防止を図った空気調和機室外機の放熱板固定装置を提供することを目的とする。
【課題を解決するための手段】
【０００５】
上記課題を解決するために本発明は、内部を仕切板にて送風室と機械室に分け、前記送風室にはファン及びファンモ−タを配し、前記機械室には圧縮機、冷媒配管等の冷凍サイクル部品を収納し、さらに前記機械室の上方に電装箱を配した空気調和機の室外機において、前記電装箱は電装部品から発熱された熱を放熱させるため略Ｚ形の突起を有した放熱板取付け板に固定された放熱板と電装箱内に蓄熱された熱を効率よく送風室側に放出させるための放熱穴を有した放熱ダクトより構成され、前記放熱穴開口部に水の浸入防止用の略Ｚ型の板を設けたものである。
【０００６】
また、放熱ダクトに設けられた放熱穴をの開口部に重なるように前記放熱板を配置したものである。
【０００７】
また、放熱ダクト内に温度の高い電装部品と、前記放熱ダクトに放熱板を密着させて固着させたものである。
【０００８】
また、放熱ダクトに設けられた放熱穴に前記放熱板に設けられた複数個の溝部が放熱穴と垂直になるよう配置し、前記放熱板で放熱穴開口部に覆い被さるように前記放熱板を配置ものである。
【発明の効果】
【０００９】
上記から明らかなように、本発明は、内部を仕切板にて送風室と機械室に分け、前記送風室にはファン及びファンモ−タを配し、前記機械室には圧縮機、冷媒配管等の冷凍サイクル部品を収納し、さらに前記機械室の上方に電装箱を配した空気調和機の室外機において、前記電装箱は電装部品から発熱された熱を放熱させるため略Ｚ形の突起を有した放熱板取付け板に固定された放熱板と電装箱内に蓄熱された熱を効率よく送風室側に放出させるための放熱穴を有した放熱ダクトより構成され、前記放熱穴開口部に水の浸入防止用の略Ｚ型の板を設けることにより、電装箱内に収納された電装部品から発熱した熱を効率的に放熱させ、また電装箱内に雨水などの浸入防止効果が得られる。
【００１０】
また、放熱ダクトに設けられた放熱穴をの開口部に重なるように前記放熱板を配置することにより電装箱内に収納された電装部品から発熱した熱を効率的に放熱させ、また電装箱内に雨水などの浸入防止効果が得られる。
【００１１】
また、放熱ダクト内に温度の高い電装部品と、前記放熱ダクトに放熱板を密着させて固着前記放熱ダクト内に温度の高い電装部品と、前記放熱ダクトに放熱板を密着させて固着させることにより電装箱内に収納された電装部品から発熱した熱を効率的に放熱させ、また電装箱内に雨水などの浸入防止するとともに電装部品からの発熱により放熱ダクトに付着した水滴を早く蒸発させ電装箱への水滴の付着を最小限に抑える効果が得られる。
【００１２】
また、放熱ダクトに設けられた放熱穴に前記放熱板に設けられた複数個の溝部が放熱穴と垂直になるよう配置し、前記放熱板で放熱穴開口部に覆い被さるように前記放熱板を配置することにより雨水などの浸入を防止するとともに、放熱板の複数個の溝に沿って送風室のファンの回転により機械室側から送風室側に起こる対流により放熱板の放熱効率を上げることができる。
【発明を実施するための最良の形態】
【００１３】
以下、本発明の実施の形態について図面を参照して説明する。
【００１４】
（実施の形態１）
図１から図３において、空気調和機の室外機１の基板２上に、固定された熱交換器３と前記熱交換器３と前面板４と間に設けられた仕切板５にて形成された箱体でファン６及びファンモ−タ（図示せず）を配した送風室７と前記仕切板５により送風室７の反対方向に仕切られた圧縮機８、冷媒配管９等の冷凍サイクル部品を収納する機械室１０とさらに前記機械室１０の上方に電装箱１１を配している。電装箱１１には、電装部品１２から発熱された熱を放熱させるため略Ｚの突起１３を有した放熱板取付板１４に固定された放熱板１５を有し、電装部品１２が放熱板１５に取り付けられている。さらに前記送風室７にあるファン６の回転を利用し、電装箱１１内の熱を対流させるため前記電装箱１１には、送風室７側に突出し、放熱穴１６を有した放熱ダクト１７を配置している。また前記放熱穴１６入口部には、略Ｚ型の板１８が設けられており、効率的な廃熱を行うとともに、電装箱１１への水の浸入も防ぐことができる。
【００１５】
（実施の形態２）
図４は、前記放熱ダクト１７に設けられた放熱穴１６を前記放熱板１５上部の面で放熱穴１６の開口部を覆うよう放熱板１５を配置することにより放熱板１５の寸法を大きくすることができ、放熱効率が向上する。また放熱板１５上部の面で放熱穴１６を覆うため外部から電装箱１１への水の浸入も防ぐことができる。
【００１６】
（実施の形態３）
図５は、放熱ダクト１７内に温度の高い電装部品１２と、前記放熱ダクト１７に放熱板１５を密着させて固着させることにより電装箱１１内に収納された電装部品１２から発熱した熱を効率的に放熱させ、また電装箱１１内に雨水などの浸入防止するとともに電装部品１２からの発熱により放熱ダクト１７に付着した水滴を早く蒸発させ電装箱１１への水滴の付着を最小限に抑えることができる。
【００１７】
（実施の形態４）
図６、図７は、放熱ダクト１７に設けられた放熱穴１６に前記放熱板１５に設けられた複数個の放熱板の溝１９部が放熱穴１６と垂直になるよう配置し、前記放熱板１５で放熱穴１４開口部に重ねるように前記放熱板１５を配置することにより雨水などの浸入を防止するとともに、複数個の放熱板の溝１９に沿って送風室７に配したファン６の回転により機械室１０側から送風室７側の圧力差で起こる対流により放熱板１５の放熱効率を上げることができる。
【図面の簡単な説明】
【００１８】
【図１】本発明の第１の実施の形態の空気調和機の室外機の平面断面図
【図２】本発明の第１の実施の形態の空気調和機室外機の正面断面図
【図３】本発明の第１の実施の形態の空気調和機室外機の放熱ダクト要部断面図
【図４】本発明の第２の実施の形態の放熱ダクト要部断面図
【図５】本発明の第３の実施の形態の放熱ダクト要部断面図
【図６】本発明の第４の実施の形態の放熱ダクト要部断面図
【図７】本発明の第４の実施の形態の放熱ダクト要部斜視図
【図８】従来の空気調和機の室外機の平面断面図
【図９】従来の空気調和機の室外機の正面断面図
【図１０】従来の空気調和機室外機の放熱ダクト要部断面図
【符号の説明】
【００１９】
１  空気調和機の室外機
２  基板
３  熱交換器
４  前板
５  仕切板
６  ファン
７  送風室
８  圧縮機
９  冷媒配管
１０  機械室
１１  電装箱
１２  電装部品
１３  Ｚ形の突起
１４  放熱板取付板
１５  放熱板
１６  放熱穴
１７  放熱ダクト
１８  Ｚ板
１９  放熱板の溝
【図１】
2005069653.tif 000003
【図２】
2005069653.tif 000004
【図３】
2005069653.tif 000005
【図４】
2005069653.tif 000006
【図５】
2005069653.tif 000007
【図６】
2005069653.tif 000008
【図７】
2005069653.tif 000009
【図８】
2005069653.tif 000010
【図９】
2005069653.tif 000011
【図１０】
2005069653.tif 000012